(57)【要約】      （修正有）【課題】収納ケースの内部収納空間を一空間又は４分割空間に容易且つ確実に変更できるようにする。【解決手段】スライドファスナー９の開閉によって、底壁部２と側壁部３から成る有底収納部の開口部に対して天壁部６を開閉自在な構成とし、これらの各壁部を屈曲自在でクッション性を有する壁部構造に構成した収納ケースであり、互いに係着された雄雌一対の面ファスナー１５，１６で突出状態に連結した一対の柔軟な帯状隔壁１１，１２を介して、収納ケース内を、前記帯状隔壁で囲まれた２つの縦割り分割空間２０ａ，２０ａと、これらの縦割り分割空間に挟まれた２つの縦割り分割空間２０ｂ，２０ｂとの合計４つの縦割り分割空間に構成した。また、前記面ファスナーの係着を外し、前記帯状隔壁を内周壁側に凹ませることによって、収納ケース内を隔壁の無い一空間に変更できる。【選択図】図１
0003118775.tif 000002
【実用新案登録請求の範囲】
【請求項１】
底壁部と該底壁部の周縁部にその下縁部を連接した側壁部とで形成された開口上縁部をもつ有底収納部と、この有底収納部の開口上縁部の一端側に折り曲げ自在な連接部を介して連接され、前記有底収納部の開口部を開閉自在に覆う天壁部とをもち、これらの底壁部、側壁部及び天壁部の各壁部を屈曲自在でクッション性を有する壁部構造に構成し、前記連接部箇所を除く前記有底収納部の開口上縁部と該開口上縁部に対応する前記天壁部の周縁部とに架けてスライドファスナーを装着し、このスライドファスナーの開閉によって前記有底収納部の開口部に対して前記天壁部を開閉自在な構成とした収納ケースであり、前記有底収納部内に該収納部内を複数の縦割り分割空間に隔てる隔壁部を設け、この隔壁部は、前記側壁部の内周壁をほぼ均等にその開口上縁部の開口周り方向に４つに区分けし、この４つに区分けされた一方の対向した２つの内周壁区分け部分をそれぞれ囲むように柔軟性生地から成る一対の帯状部材の縦両端部を前記内周壁区分け部分の縦境界線に沿ってそれぞれ止着し、縦両端部を止着された一対の帯状部材の各中間自由部を、互いに囲んだ前記内周壁区分け部分から離間する対向方向にそれぞれ突出し、又は互いに囲んだ前記内周壁区分け部分の内壁面に沿う位置までそれぞれ凹ませるように構成した柔軟性生地から成る一対の帯状隔壁と、この一対の帯状隔壁の各中間自由部の各中心位置の上部にそれぞれ設けられ、互いに囲んだ前記内周壁区分け部分から離間する対向方向にそれぞれ突出された各中間自由部を互いに着脱自在に係着する雄雌一対の面ファスナーとで構成し、よって、前記有底収納部内を、互いに係着された雄雌一対の前記面ファスナーで突出状態に連結された一対の前記帯状隔壁を介して隔てられた、一対の前記帯状隔壁で囲まれた２つの縦割り分割空間と、これらの縦割り分割空間に挟まれた２つの縦割り分割空間とからなる合計４つの縦割り分割空間に構成したことを特徴とする４分割の収納空間に構成できるクッション壁部構造の収納ケース。
【請求項２】
請求項１記載の収納ケースにおいて、前記底壁部を略四角形状とし、略四角形状の底壁部をもつ前記有底収納部の前記側壁部の内周壁に４つのコーナー部を設け、前記帯状隔壁を、各コーナー部をそれぞれ配してほぼ均等に４つに区分けされた一方の対向した２つの前記内周壁区分け部分をそれぞれ囲むように柔軟性生地から成る一対の帯状部材の縦両端部を前記内周壁分割部分の縦境界線に沿ってそれぞれ止着して構成したことを特徴とする４分割の収納空間に構成できるクッション壁部構造の収納ケース。
【請求項３】
請求項１記載の収納ケースにおいて、前記底壁部を略円形状とし、前記帯状隔壁を、ほぼ均等な円弧状に４つに区分けされた一方の対向した２つの円弧状の前記内周壁区分け部分をそれぞれ囲むように柔軟性生地から成る一対の帯状部材の縦両端部を前記内周壁分割部分の縦境界線に沿ってそれぞれ止着して構成したことを特徴とする４分割の収納空間に構成できるクッション壁部構造の収納ケース。
【請求項４】
請求項１から３に記載のいずれかの収納ケースにおいて、雄雌一対の前記面ファスナーは、一方の面ファスナーが一方の帯状隔壁の内側に取付けられ、他方の面ファスナーが他方の帯状隔壁に一端側を止着された柔軟な連結片の自由端側に取付けられ、柔軟な連結片の自由端側に取付けられた前記面ファスナーは一方の帯状隔壁を越えて該帯状隔壁の内側に取付けられている前記面ファスナーと対向する位置まで該連結片が逆Ｕ字状に折り曲げられ、対向した互いの面ファスナーが着脱自在に係着され連結されるように構成され、且つ、非連結状態においては、柔軟な連結片の自由端側に取付けられた前記面ファスナーは該面ファスナーを取付けた同じ帯状隔壁の外側に取付けた固定用の面ファスナーに対して着脱自在に係着され固定されるように構成したことを特徴とする４分割の収納空間に構成できるクッション壁部構造の収納ケース。
【考案の詳細な説明】
【技術分野】
【０００１】
本考案は、折り畳み可能で、外部からの衝撃に対して収納物品を効果的に保護できる、屈曲自在なクッション壁部構造の収納ケースであり、特に、この収納ケースの内部収納空間を一空間又は複数の分割空間に容易且つ確実に変更できるようにした収納ケースに関する。
【背景技術】
【０００２】
玩具、衣類、日用雑貨など主に小さな雑多な物品を収納する収納ケースが種々用いられている。これらの収納ケースは、不使用時にはコンパクトな形態に折り畳めること、外部からの衝撃に対して収納物品を効果的に保護できるものであることが要望される。係る要望に応えた収納ケースとして、本出願人は実用新案登録第３１１２３２８号のクッション壁部構造の収納ケースを提供した。このクッション壁部構造の収納ケースは、スライドファスナーの開閉によって、底壁部と側壁部から成る有底収納部の開口部に対して天壁部を開閉自在な構成とした収納ケース本体と、この収納ケース本体を手提げ可能にする手提げ部とで収納ケースを構成し、前記底壁部、側壁部及び天壁部の各壁部を、各壁部の表裏面を形成する表生地と裏生地との間に屈曲性且つ弾力性を有するスポンジなどの厚手のクッション材から成るクッション性芯材を挟んだ屈曲自在なクッション壁部構造に構成したことを特徴としたものである。
【特許文献１】実用新案登録第３１１２３２８号公報
【考案の開示】
【考案が解決しようとする課題】
【０００３】
背景技術で述べたクッション壁部構造の収納ケースは、不使用時にはコンパクトな形態に容易に折り畳むことができると共に、この折り畳み形態から容易にケース形態に復元でき、また、外部からの衝撃に対しても収納物品を効果的に保護できる、等の利点を有するものであるが、その収納ケースの内部構造については特に工夫されていない。
【０００４】
前記したように、収納ケース内には、玩具、衣類、日用雑貨など主に小さな雑多な物品を収納する場合が多く、また比較的大きな物品を収納する場合もある。
【０００５】
しかし、収納ケースの内部収納空間が一つであると、小さな雑多な物品を収納ケース内に整理良く収納するのが困難であり、この収納ケースの移動中に収納されている小さな雑多な物品が所定の収納位置から移動してしまい散乱状態になってしまう問題がある。
【０００６】
このような実情に鑑み、本考案は、コンパクトな形態に容易に折り畳むことができると共に、この折り畳み形態から容易にケース形態に復元でき、また、外部からの衝撃に対しても収納物品を効果的に保護できる、というクッション壁部構造の収納ケースの長所を保持しつつ、且つこの収納ケースの内部収納空間を一空間又は４分割空間に容易且つ確実に変更できるようにして、比較的大きな物品を収納する場合は勿論のこと、小さな雑多な物品を収納する場合でも整理良く収納できる収納ケースを提供することを目的とする。
【課題を解決するための手段】
【０００７】
上記の課題を達成するため、本考案は、底壁部と該底壁部の周縁部にその下縁部を連接した側壁部とで形成された開口上縁部をもつ有底収納部と、この有底収納部の開口上縁部の一端側に折り曲げ自在な連接部を介して連接され、前記有底収納部の開口部を開閉自在に覆う天壁部とをもち、これらの底壁部、側壁部及び天壁部の各壁部を屈曲自在でクッション性を有する壁部構造に構成し、前記連接部箇所を除く前記有底収納部の開口上縁部と該開口上縁部に対応する前記天壁部の周縁部とに架けてスライドファスナーを装着し、このスライドファスナーの開閉によって前記有底収納部の開口部に対して前記天壁部を開閉自在な構成とした収納ケースであり、前記有底収納部内に該収納部内を複数の縦割り分割空間に隔てる隔壁部を設け、この隔壁部は、前記側壁部の内周壁をほぼ均等にその開口上縁部の開口周り方向に４つに区分けし、この４つに区分けされた一方の対向した２つの内周壁区分け部分をそれぞれ囲むように柔軟性生地から成る一対の帯状部材の縦両端部を前記内周壁区分け部分の縦境界線に沿ってそれぞれ止着し、縦両端部を止着された一対の帯状部材の各中間自由部を、互いに囲んだ前記内周壁区分け部分から離間する対向方向にそれぞれ突出し、又は互いに囲んだ前記内周壁区分け部分の内壁面に沿う位置までそれぞれ凹ませるように構成した柔軟性生地から成る一対の帯状隔壁と、この一対の帯状隔壁の各中間自由部の各中心位置の上部にそれぞれ設けられ、互いに囲んだ前記内周壁区分け部分から離間する対向方向にそれぞれ突出された各中間自由部を互いに着脱自在に係着する雄雌一対の面ファスナーとで構成し、よって、前記有底収納部内を、互いに係着された雄雌一対の前記面ファスナーで突出状態に連結された一対の前記帯状隔壁を介して隔てられた、一対の前記帯状隔壁で囲まれた２つの縦割り分割空間と、これらの縦割り分割空間に挟まれた２つの縦割り分割空間とからなる合計４つの縦割り分割空間に構成したことを特徴とする４分割の収納空間に構成できるクッション壁部構造の収納ケースを提供する。
【０００８】
本考案の収納ケース内を４分割空間として用いる場合は、柔軟性生地から成る一対の帯状隔壁の各中間自由部を互いに囲んだ前記内周壁区分け部分から離間する対向方向へそれぞれ突出させ、突出された各中間自由部にそれぞれ設けた雄雌一対の面ファスナーを係着すれば良い。これによって、収納ケース内は、互いに係着された雄雌一対の前記面ファスナーで突出状態に連結された一対の前記帯状隔壁を介して隔てられた、一対の前記帯状隔壁で囲まれた２つの縦割り分割空間と、これらの縦割り分割空間に挟まれた２つの縦割り分割空間とからなる合計４つのほぼ均等な縦割り分割空間に構成される。また、本考案の収納ケース内を一空間として用いる場合は、互いに係着された雄雌一対の面ファスナーの係着を外し、柔軟性生地から成る一対の帯状隔壁を互いに囲んだ前記内周壁区分け部分の内壁面に沿う位置へそれぞれ凹ませることによって、隔壁を無くした一空間に構成される。このようにして、本考案の収納ケースによれば、その内部収納空間を一空間又は４分割空間に容易且つ確実に変更できる。
【０００９】
また、本考案は、前記底壁部を略四角形状とし、略四角形状の底壁部をもつ前記有底収納部の前記側壁部の内周壁に４つのコーナー部を設け、前記帯状隔壁を、各コーナー部をそれぞれ配してほぼ均等に４つに区分けされた一方の対向した２つの前記内周壁区分け部分をそれぞれ囲むように柔軟性生地から成る一対の帯状部材の縦両端部を前記内周壁区分け部分の縦境界線に沿ってそれぞれ止着して構成したことを特徴とする４分割の収納空間に構成できるクッション壁部構造の収納ケースを提供する。
【００１０】
このように、前記帯状隔壁は、コーナー部をもつ前記内周壁区分け部分を囲むように帯状部材の縦両端部を止着して構成したことによって、収納ケース内を一空間として用いる場合、前記帯状隔壁はコーナー部をもつ前記内周壁区分け部分の凹んだ内壁面にフィットした状態に凹まされ、凹まされた前記帯状隔壁の弛みを防ぐことができる。
【００１１】
また、本考案は、前記底壁部を略円形状とし、前記帯状隔壁を、ほぼ均等な円弧状に４つに区分けされた一方の対向した２つの円弧状の前記内周壁区分け部分をそれぞれ囲むように柔軟性生地から成る一対の帯状部材の縦両端部を前記内周壁区分け部分の縦境界線に沿ってそれぞれ止着して構成したことを特徴とする４分割の収納空間に構成できるクッション壁部構造の収納ケースを提供する。
【００１２】
このように、前記帯状隔壁は、円弧状の前記内周壁区分け部分を囲むように帯状部材の縦両端部を止着して構成したことによって、収納ケース内を一空間として用いる場合、前記帯状隔壁は円弧状の前記内周壁区分け部分の円弧状に凹んだ内壁面にフィットした状態に凹まされ、凹まされた前記帯状隔壁の弛みを防ぐことができる。
【００１３】
また、本考案は、雄雌一対の前記面ファスナーは、一方の面ファスナーが一方の帯状隔壁の内側に取付けられ、他方の面ファスナーが他方の帯状隔壁に一端側を止着された柔軟な連結片の自由端側に取付けられ、柔軟な連結片の自由端側に取付けられた前記面ファスナーは一方の帯状隔壁を越えて該帯状隔壁の内側に取付けられている前記面ファスナーと対向する位置まで該連結片が逆Ｕ字状に折り曲げられ、対向した互いの面ファスナーが着脱自在に係着され連結されるように構成され、且つ、非連結状態においては、柔軟な連結片の自由端側に取付けられた前記面ファスナーは該面ファスナーを取付けた同じ帯状隔壁の外側に取付けた固定用の面ファスナーに対して着脱自在に係着され固定されるように構成したことを特徴とする４分割の収納空間に構成できるクッション壁部構造の収納ケースを提供する。
【００１４】
これによって、雄雌一対の前記面ファスナーを互いに係着して一対の帯状隔壁をそれぞれ突出状態に連結した場合、一方の面ファスナーは柔軟な連結片の自由端側に取付けられているため、互いに連結される一対の帯状隔壁の突出態様に自由度を与えることができる。また、互いに係着された雄雌一対の面ファスナーの係着を外し、柔軟性生地から成る一対の帯状隔壁を互いに囲んだ前記内周壁区分け部分の内壁面に沿う位置へそれぞれ凹ませて、収納ケース内を隔壁が無くされた１つの広い収納空間として用いる場合においても、外された雄雌一対の面ファスナーの係着面が収納空間内で露出せず、収容された衣類などと不要な接触や接着を避けられる。しかも、柔軟な連結片の自由端側に取付けられた面ファスナーは固定された状態に保持される。
【考案の効果】
【００１５】
本考案の収納ケースによれば、コンパクトな形態に容易に折り畳むことができると共に、この折り畳み形態から容易にケース形態に復元でき、また、外部からの衝撃に対しても収納物品を効果的に保護できる、というクッション壁部構造の収納ケースの長所を保持しつつ、且つこの収納ケースの内部収納空間を一空間又は４分割空間に容易且つ確実に変更できるようにして、比較的大きな物品を収納する場合は勿論のこと、小さな雑多な物品を収納する場合でも整理良く収納できる。
【考案を実施するための最良の形態】
【００１６】
以下、本考案の実施形態を示した図面に基づいて説明する。図１から図３に示した本考案の収納ケースは底壁部を略四角形状とし、図４に示した本考案の収納ケースは底壁部を略円形状としたものである。図１から図３の収納ケースと図４の収納ケースは、その実質的な構成を共通にしているため、特に限定した説明を除き、以下の説明は両者に共通するものである。
【００１７】
本考案の収納ケース１は、底壁部２と該底壁部２の周縁部にその下縁部を連接した側壁部３とで形成された開口上縁部をもつ有底収納部４と、この有底収納部４の開口上縁部の一端側に折り曲げ自在な連接部５を介して連接され、前記有底収納部４の開口部を開閉自在に覆う天壁部６とをもち、これらの底壁部２、側壁部３及び天壁部６の各壁部を、各壁部の表裏面を形成する柔軟な表生地７ａと裏生地７ｂとの間に屈曲性且つ弾力性を有するスポンジなどのクッション材から成るクッション性芯材８を挟んで構成し、各壁部を屈曲自在でクッション性を有する壁部構造に構成し、前記連接部５箇所を除く前記有底収納部４の開口上縁部と該開口上縁部に対応する前記天壁部６の周縁部とに架けてスライドファスナー９を装着し、このスライドファスナー９の開閉によって前記有底収納部４の開口部に対して前記天壁部６を開閉自在な構成としたものであり、前記有底収納部４内に該収納部内を複数の縦割り分割空間に隔てる隔壁部１０を設けたことを特徴としている。
【００１８】
前記クッション性芯材８は、ポリウレタン製のスポンジから成る板状のクッション材であり、このクッション性芯材８を挟む表裏生地７ａ，７ｂは、綿やポリエステルなどの柔軟な天然又は合成繊維を採用し、表生地７ａには特に丈夫な生地を採用している。前記底壁部２の周縁部と前記側壁部３の下縁部は逢着糸で逢着することによって連接され、前記側壁部３の開口上縁部や前記天壁部６の周縁部も逢着糸でそれぞれ逢着している。前記スライドファスナー９は、互いに係合される一方のスライドファスナー部の帯布部を前記側壁部３の開口上縁部（前記連接部５箇所を除く）に沿って逢着し、他方のスライドファスナー部の帯布部を前記天壁部６の周縁部（前記連接部５箇所を除く）に沿って逢着し、装着されている。なお、スライドファスナー９を開閉するスライド開閉部９ａを二つ取付け、両方から開閉できるようにしている。
【００１９】
前記の隔壁部１０は、前記側壁部３の内周壁をほぼ均等にその開口上縁部の開口周り方向に４つに区分け、この４つに区分けされた一方の対向した２つの内周壁区分け部分３ａ，３ａをそれぞれ囲むように柔軟性生地から成る一対の帯状部材の縦両端部を前記内周壁区分け部分３ａ，３ａの縦境界線に沿ってそれぞれ逢着手段で止着１３し、縦両端部を逢着された一対の該帯状部材の各中間自由部を、互いに囲んだ前記内周壁区分け部分３ａ，３ａから離間する対向方向にそれぞれ突出し、又は互いに囲んだ前記内周壁区分け部分３ａ，３ａの内壁面に沿う位置までそれぞれ凹ませるように構成した柔軟性生地から成る一対の帯状隔壁１１，１２と、この一対の帯状隔壁１１，１２の各中間自由部の各中心位置の上部にそれぞれ設けられ、互いに囲んだ前記内周壁区分け部分３ａ，３ａから離間する対向方向にそれぞれ突出された各中間自由部を互いに着脱自在に係着する雄雌一対の面ファスナー１５，１６とで構成し、よって、前記有底収納部４内を、互いに係着された雄雌一対の前記面ファスナー１５，１６で突出状態に連結された一対の前記帯状隔壁１１，１２を介して隔てられた、一対の前記帯状隔壁１１，１２で囲まれた２つの縦割り分割空間２０ａ，２０ａと、これらの縦割り分割空間２０ａ，２０ａに挟まれた２つの縦割り分割空間２０ｂ，２０ｂとからなる合計４つの縦割り分割空間（２０ａ，２０ａ，２０ｂ，２０ｂ）に構成した。柔軟性生地から成る帯状隔壁１１，１２の材質は、各壁部の表裏生地と同様な綿やポリエステルなどの柔軟な天然又は合成繊維を採用し、表生地を突出側、裏生地を凹み側にし、各壁部の場合と同様に表生地には特に丈夫な生地を採用している。
【００２０】
本考案の収納ケース内を４分割空間として用いる場合は、図１及び図４に実線で示したように、柔軟性生地から成る一対の帯状隔壁１１，１２の各中間自由部を互いに囲んだ前記内周壁区分け部分３ａ，３ａから離間する対向方向へそれぞれ突出させ、突出された各中間自由部にそれぞれ設けた雄雌一対の面ファスナー１５，１６を係着すれば良い。これによって、収納ケース内は、互いに係着された雄雌一対の前記面ファスナー１５，１６で突出状態に連結された一対の前記帯状隔壁１１，１２を介して隔てられた、一対の前記帯状隔壁１１，１２で囲まれた２つの縦割り分割空間２０ａ，２０ａと、これらの縦割り分割空間２０ａ，２０ａに挟まれた２つの縦割り分割空間２０ｂ，２０ｂとからなる合計４つのほぼ均等な縦割り分割空間２０ａ，２０ａ，２０ｂ，２０ｂに構成される。また、本考案の収納ケース内を一空間として用いる場合は、図１及び図４に一点鎖線で示したように、互いに係着された雄雌一対の面ファスナー１５，１６の係着を外し、柔軟性生地から成る一対の帯状隔壁１１，１２を互いに囲んだ前記内周壁区分け部分３ａ，３ａの内壁面に沿う位置へそれぞれ凹ませることによって、隔壁を無くした一空間に構成される。このようにして、本考案の収納ケースによれば、その内部収納空間を一空間又は４分割空間に容易且つ確実に変更できる。
【００２１】
図１から図３に示した収納ケースは、前記底壁部２を略四角形状とし、略四角形状の底壁部２をもつ前記有底収納部４の前記側壁部３の内周壁に４つのコーナー部３ｃ，３ｃ，３ｃ，３ｃを設け、前記帯状隔壁１１，１２を、各コーナー部３ｃ，３ｃ，３ｃ，３ｃをそれぞれ配して４つに区分けされた一方の対向した２つの内周壁区分け部分３ａ，３ａをそれぞれ囲むように柔軟性生地から成る一対の帯状部材の縦両端部を前記内周壁区分け部分３ａ，３ａの縦境界線に沿ってそれぞれ止着（逢着）１３して構成した。このように、前記帯状隔壁１１，１２は、コーナー部３ｃをもつ内周壁区分け部分３ａ，３ａを囲むように帯状部材の縦両端部を止着（逢着）１３して構成したことによって、収納ケース内を一空間として用いる場合、前記帯状隔壁１１，１２はコーナー部３ｃをもつ前記内周壁区分け部分３ａ，３ａの凹んだ内壁面にフィットした状態に凹まされ（図１に一点鎖線で示す。）、凹まされた前記帯状隔壁１１，１２の弛みを防ぐことができる。
【００２２】
図４に示した収納ケースは、前記底壁部２を略円形状とし、前記帯状隔壁１１，１２を、ほぼ均等な円弧状に４つに区分けされた一方の対向した２つの円弧状の内周壁区分け部分３ａ，３ａをそれぞれ囲むように柔軟性生地から成る一対の帯状部材の縦両端部を前記内周壁区分け部分３ａ，３ａの縦境界線に沿ってそれぞれ止着（逢着）１３して構成した。
【００２３】
雄雌一対の前記面ファスナー１５，１６は、図２及び図３に示すように、一方の面ファスナー（雌の面ファスナー）１５が一方の帯状隔壁１１の内側に取付けられ、他方の面ファスナー（雄の面ファスナー）１６が他方の帯状隔壁１２に一端側を止着（逢着）された柔軟な連結片１７の自由端側に取付けられ、柔軟な連結片１７の自由端側に取付けられた前記面ファスナー（雄の面ファスナー）１６は一方の帯状隔壁１１を越えて該帯状隔壁１１の内側に取付けられている前記面ファスナー（雌の面ファスナー）１５と対向する位置まで該連結片１７が逆Ｕ字状に折り曲げられ、対向した互いの面ファスナー１５，１６が着脱自在に係着され連結されるように構成され、且つ、非連結状態においては、柔軟な連結片１７の自由端側に取付けられた前記面ファスナー（雄の面ファスナー）１６は該面ファスナー１６を取付けた同じ帯状隔壁１２の外側に取付けた固定用の面ファスナー（雌の面ファスナー）１８に対して着脱自在に係着され固定されるように構成した。なお、雄の面ファスナーは多数の樹脂製鉤状フックを植設したもので、雌の面ファスナーは前記樹脂製鉤状フックに着脱自在に絡み合う樹脂製繊維を植設したものであり、周知のものである。
【００２４】
これによって、雄雌一対の前記面ファスナー１５，１６を互いに係着して一対の帯状隔壁１１，１２をそれぞれ突出状態に連結した場合、一方の面ファスナー１６は柔軟な連結片１７の自由端側に取付けられているため、互いに連結される一対の帯状隔壁１１，１２の突出態様に自由度を与えることができる。また、互いに係着された雄雌一対の面ファスナー１５，１６の係着を外し、柔軟性生地から成る一対の帯状隔壁１１，１２を互いに囲んだ前記内周壁区分け部分３ａ，３ａの内壁面に沿う位置へそれぞれ凹ませて、収納ケース内を隔壁が無くされた１つの広い収納空間として用いる場合においても、外された雄雌一対の面ファスナー１５，１６の係着面が収納空間内で露出せず（一方の面ファスナー１５は一方の帯状隔壁１１の内側に取付けられており、他方の面ファスナー１６は固定用の面ファスナー１８に係着してあるため）、収容された衣類などと不要な接触や接着を避けられる。しかも、柔軟な連結片１７の自由端側に取付けられた面ファスナー１６は固定された状態に保持される。
【００２５】
符号２２は前記収納ケース１を吊下げ又は手提げ可能にする一対の略ループ状の提げ部で、この提げ部２２は前記側壁部３の外壁面の対称位置にそれぞれ取付けられている。なお、この提げ部２２の構造や取付け位置は特に限定されるものではなく、例えば、前記天壁部の外壁面に取付けても良い。
【００２６】
前記したように、この収納ケースの前記底壁部２、側壁部３及び天壁部６の各壁部は、屈曲自在なクッション壁部構造に構成され、前記帯状隔壁１１，１２も柔軟性生地で形成してあるため、この収納ケース内に荷物を入れてない空の未収納状態においては屈曲自在なクッション壁部構造の各壁部及び柔軟生地の前記帯状隔壁１１，１２が腰を折るように屈曲されて折り畳み可能である。
【実施例１】
【００２７】
図１から図３の収納ケースは、縦横幅を約２８ｃｍ、高さを約２０ｃｍのサイズとしている。
【実施例２】
【００２８】
図４の収納ケースは、直径を約２８ｃｍ、高さを約２０ｃｍのサイズとしている。
【図面の簡単な説明】
【００２９】
【図１】天壁部を開けた状態における本考案の平面図である。
【図２】図１のＡ−Ａ矢視線による拡大縦断面図である。
【図３】図２のＡ部、Ｂ部及びＣ部の各拡大図である。
【図４】天壁部を開けた状態における本考案の他の実施例の平面図である。
【符号の説明】
【００３０】
１  収納ケース
２  底壁部
３  側壁部
３ａ，３ａ  内周壁区分け部分
３ｃ，３ｃ，３ｃ，３ｃ  コーナー部
４  有底収納部
５  連接部
６  天壁部
９  スライドファスナー
１０  隔壁部
１１，１２  帯状隔壁
１３  止着部
１５  面ファスナー（雌の面ファスナー）
１６  面ファスナー（雄の面ファスナー）
１７  連結片
１８  固定用の面ファスナー
２０ａ，２０ａ，２０ｂ，２０ｂ  縦割り分割空間
２２  提げ部
【図１】
0003118775.tif 000003
【図２】
0003118775.tif 000004
【図３】
0003118775.tif 000005
【図４】
0003118775.tif 000006